(57)【要約】【課題】消費電力や発熱量の低減化を図ると共に、耐久性及び安全性の向上を図ることができる。【解決手段】本発明は、直管部１１の両端に口金１２が設けられて構成された直管型照明器具１０であって、細長形状の複数の基板１４ａ，１４ｂ，１４ｃ，１４ｄ，１４ｅ，１４ｆを筒状に組み合わせて形成された基板ユニット１４と、基板ユニット１４の表面側に多数配設されたＬＥＤ１５とを備えていることを特徴とし、直管型照明器具１０の周囲を均等に効率良く照らすことができ、室内の照度を安定させることができる。【選択図】図１
2009170186.tif 000002
【特許請求の範囲】
【請求項１】
直管部の両端に口金が設けられて構成された直管型照明器具であって、
細長形状の複数の基板を筒状に組み合わせて形成された基板ユニットと、
該基板ユニットの表面側に多数配設されたＬＥＤと、
を備えていることを特徴とする直管型照明器具。
【請求項２】
前記基板ユニットの断面形状は六角形を成している請求項１に記載の直管型照明器具。
【請求項３】
前記直管部及び前記基板ユニットにはそれぞれ放熱孔が形成されている請求項１又は２に記載の直管型照明器具。
【発明の詳細な説明】
【技術分野】
【０００１】
本発明は、直管部の両端に口金が設けられて構成された直管型照明器具であって、特に、ＬＥＤを光源とした直管型照明器具に関する。
【背景技術】
【０００２】
従来、事務室や工場、倉庫等の施設の照明器具として、蛍光灯から成る直管型照明器具が使用されている。（例えば、特許文献１参照）。
【特許文献１】特開２００７−１８４１４７号公報
【発明の開示】
【発明が解決しようとする課題】
【０００３】
しかしながら、上記した従来の直管型照明器具は、蛍光灯から成るため、消費電力や発熱量の低減化が図り難いといった問題や、発光時にチラツキが発生するといった問題があった。
【０００４】
また、蛍光灯の使用寿命は、通常、６，０００〜１０，０００時間であり、耐久性の向上が図り難いといった問題もあった。
【０００５】
さらに、直管部がガラス製で、該直管部の内部に水銀蒸気が封入されているため、直管部が割れた場合には、ガラスの破片や水銀蒸気が大気中に飛散し、安全性の向上が図り難いといった問題もあった。
【０００６】
本発明は、上記した課題を解決すべくなされたものであり、消費電力や発熱量の低減化を図ると共に、耐久性及び安全性の向上を図ることができる直管型照明器具を提供することを目的とするものである。
【課題を解決するための手段】
【０００７】
上記した目的を達成するため、本発明は、直管部の両端に口金が設けられて構成された直管型照明器具であって、細長形状の複数の基板を筒状に組み合わせて形成された基板ユニットと、該基板ユニットの表面側に多数配設されたＬＥＤと、を備えていることを特徴とする。
【０００８】
そして、本発明の直管型照明器具において、前記基板ユニットの断面形状は六角形を成していてもよい。
【０００９】
また、前記直管部及び前記基板ユニットにはそれぞれ放熱孔が形成されていてもよい。
【発明の効果】
【００１０】
本発明によれば、筒状に形成された基板ユニットの表面側に多数のＬＥＤが配設されているため、直管型照明器具の周囲を均等に効率良く照らすことができ、室内の照度を安定させることができる。
【００１１】
また、ＬＥＤは消費電力や発熱量が比較的小さいため、二酸化炭素の排出を削減し、地球温暖化の防止に貢献することができる。
【００１２】
さらに、ＬＥＤは発光時にチラツキが発生することがないため、室内環境を明るく、良好に保つことができると共に、ＬＥＤの使用寿命が長いため、耐久性の向上を図ることができる。
【００１３】
さらにまた、直管部の内部に水銀蒸気が封入されていないため、直管部が割れたとしても、水銀蒸気が大気中に飛散することがなく、安全性の向上を図ることができる。
【発明を実施するための最良の形態】
【００１４】
以下、図面を参照しつつ、本発明の実施の形態について説明する。ここで、図１は本発明の実施の形態に係る直管型照明器具を示す正面図、図２は図１のＡ−Ａ断面図である。
【００１５】
本実施の形態に係る直管型照明器具１０は、アクリル樹脂製の細長円筒形状の直管部１１と、この直管部１１の両端に固定された口金１２と、直管部１１の内部に直管部１１の形状に沿って設けられた発光体１３とを備えて構成されている。
【００１６】
発光体１３は、細長形状の複数（図２では６枚）の基板１４ａ，１４ｂ，１４ｃ，１４ｄ，１４ｅ，１４ｆを六角筒状に組み合わせて形成された基板ユニット１４と、この基板ユニットの表面側に多数配設されたＬＥＤ（Light-Emitting Diode）１５とを備えて構成されており、基板ユニット１４の断面形状は六角形を成している。
【００１７】
なお、基板ユニット１４の断面形状は、上記した六角形に限定されるものではなく、例えば、図３に示すように五角形、或いは図４に示すように四角形、或いは図５に示すように三角形等、筒状を形成する形状であれば各種変形が可能である。
【００１８】
直管部１１及び基板ユニット１４の所要箇所にはそれぞれ放熱孔（図示省略）が形成されており、これらの放熱孔を介して直管部１１の内部で発生した熱を外部に放出できるようになっている。また、直管部１１の内面には拡散膜が塗布されており、ＬＥＤ１５から発せられた光が直管部１１を透過する際に外部に拡散されるようになっている。
【００１９】
具体的には、例えば、直管部１１の長さが１，２００ｍｍ、直管部１１の外径が３２ｍｍ、ＬＥＤ１５の外径が５ｍｍ、ＬＥＤの設置数が４８０〜５００個の場合、光束が１，７００ＬＭ、消費電力が２７ｗで、使用寿命は８０，０００〜１５０，０００時間であった。
【００２０】
このように本発明の実施の形態に係る直管型照明器具１０によれば、筒状に形成された基板ユニット１４の表面側に放射状にＬＥＤ１５が配設されているため、直管型照明器具１０の周囲を均等に効率良く照らすことができ、室内の照度を安定させることができる。
【００２１】
また、ＬＥＤ１５は消費電力や発熱量が比較的小さいため、二酸化炭素の排出を削減し、地球温暖化の防止に貢献することができる。
【００２２】
さらに、ＬＥＤ１５は発光時にチラツキが発生することがないため、室内環境を明るく、良好に保つことができると共に、ＬＥＤ１５の使用寿命が蛍光灯の１０倍以上もあるため、耐久性の向上を図ることができる。
【００２３】
さらにまた、直管部１１がガラス製でなく、しかも直管部１１の内部に水銀蒸気が封入されていないため、直管部１１が割れたとしても、ガラスの破片や水銀蒸気が大気中に飛散することがなく、安全性の向上を図ることができる。
【図面の簡単な説明】
【００２４】
【図１】本発明の実施の形態に係る直管型照明器具を示す正面図である。
【図２】図１のＡ−Ａ断面図である。
【図３】本発明の実施の形態に係る直管型照明器具の変形例を示す断面図である。
【図４】本発明の実施の形態に係る直管型照明器具の別の変形例を示す断面図である。
【図５】本発明の実施の形態に係る直管型照明器具のさらに別の変形例を示す断面図である。
【符号の説明】
【００２５】
１０          直管型照明器具
１１          直管部
１２          口金
１４          基板ユニット
１５          ＬＥＤ
【図１】
2009170186.tif 000003
【図２】
2009170186.tif 000004
【図３】
2009170186.tif 000005
【図４】
2009170186.tif 000006
【図５】
2009170186.tif 000007